(57)【特許請求の範囲】
【請求項１】
底部に濾過床および濾材を、上部には通水方向に対して垂直にステンレス板等よりなる陰極板および、この下部に前記陰極板と適宜な空隙を介して対面するアルミニウム塊よりなる陽極体とを内蔵する濾過槽と、前記陽極体と陰極板間への通電手段とを有し、この濾過槽を浴槽の循環回路に備えた浴槽水の浄化装置。
【請求項２】
陰極板を凹状に形成し、中央部に第１の透孔を、周囲に第２の透孔を設けてなる請求項１記載の浴槽水の浄化装置。
【請求項３】
陽極体の下部に適宜な空隙を介して対面して固定してなる、孔部を有する受け板を配設した請求項１記載の浴槽水の浄化装置。
【発明の詳細な説明】
【０００１】
【発明の属する技術分野】
本発明は、浴槽水の浄化手段を有する浴槽水の浄化装置に関する。
【０００２】
【従来の技術】
従来この種の浴槽水の浄化装置の濾過槽１は、図５に示すように、底部に濾過床２および粒状の濾材３と、上部に固定したアルミニウム円筒体４と、この外周を覆うステンレス製の外周筐体５よりなり、前記アルミニウム円筒体４を陽極とし、外周筐体５を陰極となるように電圧を加え、アルミニウム円筒体４と外周筐体５間に２００〜３００ｍAの電流を流して電気分解によりアルミニウムイオンを溶出させ、浴槽水中の水酸基と反応することにより水酸化アルミを生成し、これが浴槽水中の汚れ成分（垢や細菌、異物等）を凝集し、濾材３で濾過されるとともに、櫓材３表面に凝集層が形成され、この凝集層が濾過作用を奏するようにした構成であった。６は陽極端子、７は陰極端子を示す。
【０００３】
【発明が解決しようとする課題】
しかしながら上記従来の構成では、アルミニウム円筒体の内外周面に沿って通水されるが、この間の水の通過は急速であるため、通過水へのアルミニウムイオンの混入が不十分であり、かつ最も凝集作用が大であるアルミニウム円筒体と外周筐体間の流量が円筒体内を通過する流量に比べて少ないため、いわゆる通水量に対する凝集効率が低かった。また、濾材表面に形成される凝集層が外周部に集中しやすく、目的とする凝集層による濾過効果が充分に得られなかった。
【０００４】
【課題を解決するための手段】
上記の課題を解決するために本発明は底部に濾過床および濾材と、上部に通水方向に対して垂直にステンレス板等よりなる陰極板とこの下部に前記陰極板と適宜な空隙を介して対面するアルミニウム塊よりなる陽極体とを設け、循環水が陽極体上面の通過するようにしたため、通過水へのアルミニウムイオンの混入が大となり、安定した浄化効果を得ることができるものである。
【０００５】
【発明の実施の形態】
上記の課題を解決するために本発明は、底部に濾過床および濾材を、上部に通水方向に対して垂直にステンレス板等よりなる陰極板とこの下部に前記陰極板と適宜な空隙を介して対面するアルミニウム塊よりなる陽極体とを内蔵する濾過槽と、前記陽極体と陰極間への通電手段とを有し、この濾過槽を浴槽への循環回路に備えたものである。上記構成によれば、アルミニウムイオン濃度の高い陽極体上面を通水するため、通過水へのアルミニウムイオンの混入が大となる。
【０００６】
また本発明は、陰極板を凹状に形成し、中央部に第１の透孔を、周囲に第２の透孔を設けたものである。上記構成によれば濾過槽入口より流入した水は陰極板外周部より通過する流量が抑制され、陽極体上の通過流量が多くなり、さらに凝集効率が向上する。
【０００７】
また本発明は、陽極体の下部に適宜な空隙を介して対面して固定してなる、孔部を有する受け板を配設したものである。上記構成によれば櫓材表面をを通過する流量分布が均等になり、均質な凝集層が形成され安定した浄化効果が得られる。
【０００８】
【実施例】
以下、本発明の実施例を図面を参照して説明する。
【０００９】
（実施例１）
図１において、水は水入口より水温センサ１１、水量センサ１２を通り、給湯熱交換器１３で熱を吸収して、給湯センサ１４，水量制御弁１５を通り、湯出口より放出される。ガスはガス入口より給湯元電磁弁１６，ガスの給湯比例弁１７を通り、給湯バーナ１８で燃焼される。浴槽水は循環ポンプ１９により、風呂接続アダプタ２０、戻り通路２１、水位センサ２２、切替三方弁２３、風呂センサ２４、水流スイッチ２５、バイパス三方弁２６、風呂熱交換器２７、上部循環回路２８、排水三方弁２９、濾過槽４０、正逆三方弁３１、往き通路３２、風呂接続アダプタ２０と循環する。浴槽水の風呂センサ２４で検出する温度が低下したときには、ガスがガスの風呂元電磁弁３３、風呂比例弁３４を通り、風呂バーナ３５で燃焼し、風呂熱交換器２７で熱を吸収して、浴槽水の追い焚きを行う。
【００１０】
上記構成において、濾過槽４０は、図２に示すように上面に濾過槽入口４１を有する耐熱樹脂製の外装蓋体４２と濾過槽出口４３を有する耐熱樹脂製の凹状の外装筐体４４により、密閉容器を形成し、この容器内底面にステンレス製のバッフル板４５、濾過床４６、セラミッックス製の粒状櫓材４７を有している。４８はステンレス製の陰極円板であり、中央部に透孔４９を設け、外周部の陰極端子棒５０で外装蓋体４２上面に固定されている。５１は純アルミニウム塊よりなる陽極体であり、外周部に設けた陽極端子棒５２により、外装筐体４４に固定されている。前記陰極端子棒５０および陽極端子棒５２間には定電流回路を有する通電手段により一定の電流が供給される。この時陽極表面より溶出するアルミニウムイオン（＋イオン）は水中の水酸基（−イオン）と反応し水酸化アルミを生成し、この水酸化アルミが水中の汚れ成分を凝集し、大型の粒子となり櫓材４７で濾過されるとともに濾材４７表面に凝集層を形成して、この凝集層自体が濾過に寄与する。したがって供給電流（電圧）が大きい程アルミニウムイオンが溶出しやすくなり水酸化アルミの生成量が増大するが、一方生成された水酸化アルミが陽極体５１表面に付着し堆積しやすくなるため、陽極体５１の構成や通過流量により適正な電流値を設定する必要がある。このため本発明では陽極体５１と陰極板４８間の距離を７mmとして、前記陽極端子棒５２、陰極端子棒５０間に３Ｖの印加電圧で３００mAの通電が可能としてある。また濾過槽入口４１直下に陰極円板４８に設けた透孔４９を配して、循環水の水圧により陽極体５１上面の水酸化アルミの堆積を防止している。
【００１１】
（実施例２）
本発明の第２の実施例について説明する。図３は濾過槽６１であり、その他の浴槽水の浄化装置の構成は第１の実施例の図１に同じである。前記濾過槽６１は上面に濾過槽入口６２を有する耐熱樹脂製の外装蓋体６３と濾過槽出口６４を有する耐熱樹脂製の凹状の外装筐体６５により密閉容器を形成し、この容器内底面にステンレス製のバッフル板６６、濾過床６７、セラミッックス製の粒状櫓材６８を有している。６９はステンレス製の陰極円板であり、外周部に起立するフランジ部７０を設け凹状に形成するとともに，中央部に第１の透孔７１および、この周囲に複数個の第２の透孔７２を設け、陰極端子棒７３で外装蓋体６３上面に固定されている。７４は純アルミニウム塊よりなる陽極体であり、外周部に設けた陽極端子棒７５により、外装筐体６５に固定されている。その他の構成は第１の実施例に同じである。本発明では陰極円板６９を凹状に形成してフランジ部７０により、陰極円板６９外周部の流路が規制して、濾過槽入口６２から流入した循環水の大半の水が、陽極体７４上面を通過するようにしたため、通過水へのアルミニウムイオンが混入されやすく、浄化性能が向上する。
【００１２】
（実施例３）
本発明の第３の実施例について説明する。図４は濾過槽８１であり、その他の浴槽水の浄化装置の構成は第１の実施例の図１に同じである。前記濾過槽８１は上面に濾過槽入口８２を有する耐熱樹脂製の外装蓋体８３と濾過槽出口８４を有する耐熱樹脂製の凹状の外装筐体８５により、密閉容器を形成し、この容器内底面にステンレス製のバッフル板８６、濾過床８７、セラミッックス製の粒状櫓材８８を有している。８９はステンレス製の陰極円板であり、中央部に透孔９０を設け、外周部の陰極端子棒９１で外装蓋体８３上面に固定されている。９２は純アルミニウム塊よりなる陽極体であり、外周部に設けた陽極端子棒９３により、外装筐体８５に固定されている。さらにこの陽極体９２の下面に適宜な空隙を介して対面して受け板９４を固定してあり、この受け板９４には中心より外周に行くに従って開口が小さくなるように複数個の孔部９５を設けてある。その他の構成は第１の実施例に同じである。本発明では陽極体９２上面を通過した循環水は受け板９４により規制され、複数個の孔部９５を通過する。この受け板９４を設けることにより、濾過槽８１内では循環水の乱流が活発になり、このため、水酸化アルミの凝集時間が確保されて浄化性能が向上する。また櫓材８８外周表面に集中して形成されやすい凝集層が櫓材８８全表面に均一に形成されやすくなり安定した浄化性能が得られる。
【００１３】
【発明の効果】
上記発明によれば、濾過槽の通水方向に対して垂直に陰極板とこの下部に前記陰極板と適宜な空隙を介して対面する陽極体とを設けたためアルミニウムイオンが循環水に混入しやすくなり、浄化性能が向上するとともに濾過槽を小型化できる。
【００１４】
また陰極板を凹状に形成し、中央部に第１の透孔を、周囲に第２の透孔を設けたものでは陽極体上面の通過流量が増加して、さらに凝集効果が向上する。
【００１５】
また陽極体下面に受け板を設けたものでは、濾過槽内での凝集時間が確保されるとともに、櫓材表面に均一な凝集層が形成され安定した浄化性能が得られる。
【図面の簡単な説明】
【図１】本発明の一実施例を示す浴槽水の浄化装置の構成図
【図２】本発明の一実施例を示す浴槽水の浄化装置の濾過槽の断面図
【図３】本発明の他の実施例を示す浴槽水の浄化装置の濾過槽の断面図
【図４】本発明のさらに他の実施例を示す浴槽水の浄化装置の濾過槽の断面図
【図５】従来の浴槽水の浄化装置の濾過槽の断面図
【符号の説明】
４０、６１、８１  濾過槽
４６、６７、８７  濾過床
４７、６８、８８  櫓材
４８、６９、８９  陰極板
５１、７４、９２  陽極体
７１  第１の透孔
７２  第２の透孔
９４  受け板
９５  孔部
【図１】
0003870506.tif 000002
【図２】
0003870506.tif 000003
【図３】
0003870506.tif 000004
【図４】
0003870506.tif 000005
【図５】
0003870506.tif 000006